(57)【要約】【課題】大形の箱形コンテナであっても、保護ケースの組立や分解などを作業者単独で無理なく行って、梱包作業および開梱作業を楽にしかも能率よく行えるようにする。【解決手段】パレット１と、箱状の保護ケース２とを備えている。保護ケース２は、前後パネル４・５と、左右パネル６・７と、上パネル８とで構成する。左右パネル６・７の内面上部に上ガイド溝２４を形成し、上パネル８の周側面に上ガイド溝２４と嵌合するスライドレール３０を設ける。以て、スライドレール３０を上ガイド溝２４に差し込み係合することにより、上パネル８を左右パネル６・７で前後開閉自在に案内支持し、同時に上下および左右方向への移動を規制する。【選択図】図１
2008230634.tif 000002
【特許請求の範囲】
【請求項１】
パレットと、前記パレットの上面に組まれる箱状の保護ケースとを備えており、
前記保護ケースは、前後パネルと、左右パネルと、上パネルとで構成されており、
前記左右パネルの内面上部には、溝と、段と、突起との少なくともひとつを含んで構成される上連結部が形成されており、
前記上パネルの周側面には、前記上連結部と嵌係合する係合部が設けられており、
前記上パネルの前記係合部を前記上連結部に差し込み係合することにより、前記上パネルが前記左右パネルで前後開閉自在に案内支持されている箱形コンテナ。
【請求項２】
前記左右パネルの前記上連結部と、前記上パネルの前記係合部とのいずれか一方に、前記上パネルの前後開閉時の開閉抵抗を軽減するガイド体が設けてある請求項１記載の箱形コンテナ。
【請求項３】
前記ガイド体が、遊転自在に軸支されたローラーからなる請求項２記載の箱形コンテナ。
【請求項４】
前記上パネルと前記後パネルとの接合部分、および前記前パネルと前記上パネルとの接合部分のそれぞれに、互いに嵌係合する閉止嵌合部が形成してある請求項２または３記載の箱形コンテナ。
【請求項５】
前記上連結部と前記係合部、前記前連結部と前記係合部、および前記閉止嵌合部のそれぞれが、防塵用の凹凸係合体を兼ねている請求項４記載の箱形コンテナ。
【発明の詳細な説明】
【技術分野】
【０００１】
本発明は、パレットと、パレット上に組まれる箱形の保護ケースとを備えている箱形コンテナ、なかでも搬送時の塵埃による積荷の汚損を防止できる密閉構造の箱形コンテナに関する。
【背景技術】
【０００２】
この種の箱形コンテナは、例えば特許文献１に見ることができる。そこでは、パレットと、パレットの対向辺部に起立固定される一対の左右パネルと、両左右パネルに連結される前後パネルと、これらパネルの上面開口に被せ付けられる蓋体とで箱形コンテナを構成している。各パネルはアルミニウム条材で構成されるパネル枠と、パネル枠に固定されるプラスチック製のパネルとで構成してある。蓋体は箱上面を塞ぐ天井壁と、前後左右のパネルの周面上部に被さる四周壁とを備えており、天井壁の上面四隅に位置ずれ防止体が設けてある。位置ずれ防止体は、箱形コンテナを多段状に積み重ねた状態において、上段側のパレットが位置ずれするのを防ぐために設けられている。その限りでは、蓋体はある程度の強度を備えているものと想像される。
【０００３】
各パネルを組む場合には、左右パネルをパレットに設けた基枠に組み付けたのち、前後パネルを左右パネルの前端および後端に設けた連結枠に上方から差し込み連結し、最後に、蓋体を前後および左右パネルの上面に被せ付ける。このように前後左右の周側パネルの上面全体を蓋体で覆う箱形コンテナは、例えば液晶セル基板やプラズマディスプレイ基板などに貼り付けられる偏光フイルムや反射防止フイルムなどの光学フイルムの搬送に適用される。
【０００４】
箱形コンテナを低コスト化するために、前後パネルおよび左右パネルの壁面と、蓋体の壁面を、それぞれプラスチックダンボールで形成することは公知である（特許文献２）。そこでは、パレットの上面四隅に底支柱を固定しておき、前後パネルの両側縁に固定した隅柱を先の底支柱に締結固定し、さらに左右パネルを隅柱の連結溝に差し込み連結して前後パネルに締結し、これら周側パネルの上面に蓋を被せ付けている。
【０００５】
【特許文献１】特開２００６−３４７６１７号公報（段落番号００４６、図３）
【特許文献２】特開２００６−３２１５２４号公報（段落番号００１１〜００１３、図５）
【発明の開示】
【発明が解決しようとする課題】
【０００６】
特許文献１の箱形コンテナは、梱包時と開梱時のいずれの場合にも、蓋体を左右および前後の周側パネルに対してケース上面側から着脱する必要がある。そのため、各周側パネルの前後、左右寸法が小さい場合には、単独の作業者のみで蓋体を問題なく着脱できるものの、各周側パネルの前後および左右寸法が大きくなると、蓋体の重量が嵩んで扱いにくくなる。例えば、作業者単独で蓋体の四周壁を前後左右の周側パネルに同時に被せ付けるような場合に、作業者に大きな重量モーメントが作用するため、梱包作業および開梱作業に手間取ることがある。とくに、箱形コンテナの上下寸法が大きく、蓋体を高い位置で着脱する必要がある場合には作業者に無理な姿勢や過大な負担を強いることになる。
【０００７】
本発明の目的は、大形の箱形コンテナであっても、保護ケースの組立や分解などを作業者単独で無理なく行って、梱包作業および開梱作業を作業しやすい楽な姿勢で能率よく行えるようにすることにある。本発明の目的は、高度の塵埃侵入防止機能を備えていて、光学フイルムなどの塵埃等による汚損を嫌う積荷を搬送するのに好適な箱形コンテナを提供することにある。
【課題を解決するための手段】
【０００８】
本発明の箱形コンテナは、パレット１と、パレット１の上面に組まれる箱状の保護ケース２とを備えている。保護ケース２は、前後パネル４・５と、左右パネル６・７と、上パネル８とで構成する。左右パネル６・７の内面上部には、溝と、段と、突起との少なくともひとつを含んで構成される上連結部２４を形成し、上パネル８の周側面には、上連結部２４と嵌係合する係合部３０を設ける。以て、上パネル８の係合部３０を上連結部２４に差し込み係合することにより、上パネル８を左右パネル６・７で前後開閉自在に案内支持する。
【０００９】
左右パネル６・７の上連結部２４と、上パネル８の係合部３０とのいずれか一方に、上パネル８の前後開閉時の開閉抵抗を軽減するガイド体２７を設ける。ガイド体２７は、遊転自在に軸支されたローラーからなる。
【００１０】
上パネル８と後パネル５との接合部分、および前パネル４と上パネル８との接合部分のそれぞれに、互いに嵌係合する閉止嵌合部３３・３７を形成する。
【００１１】
上連結部２４と係合部３０、前連結部２５と係合部３５、および閉止嵌合部３３・３７のそれぞれが、防塵用の凹凸係合体を兼ねるようにする。
【発明の効果】
【００１２】
本発明においては、パレット１の上面に組まれる保護ケース２を、前後パネル４・５と、左右パネル６・７と、上パネル８とで構成した。さらに、左右パネル６・７の内面上部に上連結部２４を形成し、上パネル８の周側面に上連結部２４と嵌係合する係合部３０を設けて、上パネル８の係合部３０を上連結部２４に差し込み係合することにより、上パネル８が左右パネル６・７で前後開閉自在に案内支持されるようにした。
【００１３】
このように、上パネル８を左右パネル６・７で案内して前後開閉できるようにすると、重量の一部を左右パネル６・７に負担させた状態で上パネル８を抜き差し操作して開閉できるので、保護ケース２の組立や分解などの梱包作業および開梱作業を、単独の作業者であっても作業しやすい楽な姿勢で、能率よく行うことができる。大形の箱形コンテナであっても作業者に掛かる負担を軽減して、楽にしかも簡便に上パネル８を着脱できる。保護ケース２を箱状に組み立てた状態においては、上パネル８と左右パネル６・７とが上連結部２４と係合部３０を介して互いに嵌合しあうので、上パネル８と左右パネル６・７の接合部分から塵埃が侵入するのを防止して、保護ケース２の塵埃侵入防止機能を向上できる。さらに、上パネル８と左右パネル６・７とは、組立状態において互いに拘束しあうので、保護ケース２が外部振動や外力を受けてぐらつくのを防止でき、パレット１に積載した積荷を安定した状態で輸送できる。
【００１４】
左右パネル６・７の上連結部２４と、上パネル８の係合部３０とのいずれか一方に、開閉抵抗を軽減するガイド体２７を設けると、上連結部２４と係合部３０との摩擦抵抗をガイド体２７で軽減し、さらに上パネル８の開閉途中に係合部３０が上連結部２４に引っ掛かるのをよく防止して、上パネル８を円滑にスライド開閉操作でき、保護ケース２を作業者単独で組立、あるいは分解する場合であっても、一連の作業をさらに能率よく行うことができる。
【００１５】
とくに、遊転自在に軸支されたローラーでガイド体２７を構成する場合には、ローラーが転動することで上パネル８を開閉案内できるので、上パネル８の開閉スライド操作をさらに円滑に行うことができる。
【００１６】
上パネル８と後パネル５との接合部分、および前パネル４と上パネル８との接合部分のそれぞれに、互いに嵌係合する閉止嵌合部３３・３７を形成すると、保護ケース２を箱状に組み立てた状態において、上パネル８と後パネル５、および前パネル４と上パネル８の間の接合面を立体化できる。例えば、互いに嵌合しあう凹部と凸部のように、接合面を複数の接合壁面で立体化して複雑化できる。したがって、輸送途中に上パネル８と後パネル５、および前パネル４と上パネル８との各接合部分から塵埃が侵入するのを防止して、保護ケース２の塵埃侵入防止機能を向上できる。
【００１７】
上連結部２４と係合部３０、前連結部２５と係合部３５、および先の閉止嵌合部３３・３７のそれぞれが防塵用の凹凸係合体を兼ねるようにすると、輸送途中に前後パネル４・５と、左右パネル６・７と、上パネル８の各パネル４〜８の隣接隙間から塵埃が侵入するのを確実に防止して、保護ケース２の塵埃侵入防止機能をさらに高度化でき、光学フイルムなどの塵埃等による汚損を嫌う積荷を搬送するのに好適な箱形コンテナが得られる。封止構造や、塵埃侵入防止構造を別途設ける必要がない分だけ構造を簡素化して、保護ケース２を低コストで製造できる。
【発明を実施するための最良の形態】
【００１８】
（実施例）  図１ないし図７は本発明に係る箱形コンテナの実施例を示す。図２および図３において箱形コンテナは、パレット１と、パレット１の上面に組み付けられる箱状の保護ケース２とで構成する。パレット１の上面には、保護ケース２を位置決め保持し、あるいはパレット１の上面に積載した積荷の位置ずれを規制する規制枠３が固定してある。保護ケース２は、それぞれ分解積層可能な独立部品として構成される前後パネル４・５と、左右パネル６・７と、上パネル８とで構成する。規制枠３は、アングル状のアルミニウム条材からなる４個の枠体３ａを、パレット１の上面周縁に沿って固定して形成してある。
【００１９】
図３に示すように、後パネル５は、左右に分割した左後パネル５Ｌと右後パネル５Ｒとで構成し、これら両パネル５Ｌ・５Ｒの隣接縁どうしをヒンジ１１で折り畳み可能に連結し（図４参照）、さらに両パネル５Ｌ・５Ｒの外側縁を、左右のパネル６・７に対してヒンジ１２で折り畳み可能に連結して（図４参照）、左右のパネル６・７と後パネル５の三者を、平面から見てΣ字状に折り畳み積層できるようにした。分割形成される両パネル５Ｌ・５Ｒの隣接端面、および左右パネル６・７との隣接端面のそれぞれには、ヒンジ１１・１２を介して連結することで生じる隙間を塞ぐためのゴムパッキン１３が固定してある。
【００２０】
保護ケース２を構成する各パネル４〜８は、それぞれアルミニウム条材で構成される四角枠状のパネル枠４０・５０・６０・７０・８０と、各パネル枠４０〜８０に固定される内外一対のパネル４１・５１・６１・７１・８１で構成してある。各パネル４１〜８１はプラスチックダンボールで形成してあり、各断面図に示すように内外のパネル４１〜８１の間にスペーサー１４が配置してある。
【００２１】
パレット１は、それぞれ正方形状に形成される上面のデッキ板１７と下面のベース板１８と、両板１７・１８を繋ぐスペーサーブロック１９とを一体に備えたプラスチック成形品からなる。スペーサーブロック１９は、パレット１の四隅部分と、各周側面の中央部分などに設けてあり、各周側面において隣接するスペーサーブロック１９・１９の間に、フォークリフトのフォークを差し込むためのフォーク挿入空間２０が形成してある。
【００２２】
図１に示すように、左右パネル６・７のパネル枠６０・７０を構成する上横枠の内面上部には、上パネル８と嵌合する上ガイド溝（上連結部）２４が上横枠の前後方向に沿って形成され、左右パネル６・７のパネル枠６０・７０を構成する前縦枠の内面前部には、前パネル４と嵌合する前ガイド溝（前連結部）２５が前縦枠の上下方向に沿って形成してある（図４参照）。
【００２３】
図１において上ガイド溝２４は、パネル枠６０・７０上横枠の上端面に凹み形成されて上向きに開口しており、そのパネル内面側の溝開口に連続して、上横枠の上端面位置より下方へ凹む逃げ部２６が形成してある。逃げ部２６を設けることにより、組付状態の上パネル８の上面を、左右パネル６・７の上端面と面一化できる。上ガイド溝２４の内底寄りには、上パネル８を前後方向へスライド開閉するときの開閉抵抗を軽減するローラー（ガイド体）２７が一定間隔おきに配置されて、上横枠を左右に貫通するローラー軸２８で遊転自在に軸支してある。図２に示すように、この実施例では６個のローラー２７を上ガイド溝２４に沿って一定間隔おきに配置した。
【００２４】
上パネル８のパネル枠８０を構成する両側枠の内面側部には、先のガイド溝２４と嵌合してローラー２７で受け止められるスライドレール（係合部）３０が形成され、このレール３０に隣接して、先の逃げ部２６を僅かな隙間を介して跨ぐ内溝３１が凹み形成してある。スライドレール３０をガイド溝２４にケース前方から差し込み係合し、その下面をローラー２７で受け止めることにより、上パネル８を左右パネル６・７に対して軽快に前後へスライド開閉できる。
【００２５】
上パネル８を閉じ位置まで差し込んだ状態において、上パネル８と後パネル５との間に隙間が生じるのを防ぐために、両パネル５・８の接合部に閉止嵌合部３３を設けている。図５に示すように閉止嵌合部３３は、後パネル５のパネル枠５０を構成する上横枠の内面上部に凹み形成される嵌合溝３３ａと、上パネル８のパネル枠８０を構成する後枠の後面に突設されるリブ状の嵌合突起３３ｂとで構成する。
【００２６】
図４において前ガイド溝２５は、左右パネル６・７のパネル枠６０・７０を構成する前縦枠の内面前部に凹み形成されて横向きに開口している。前パネル４のパネル枠４０を構成する両側枠の外側面には、先の前ガイド溝２５と嵌合する係合レール（係合部）３５が突設してある。係合レール３５をケース上方から前ガイド溝２５に差し込み係合することにより、前パネル４を左右パネル６・７と一体化して、保護ケース２の出入口９を閉止できる。
【００２７】
前パネル４で出入口９を閉止した状態において、前パネル４と上パネル８との間に隙間が生じるのを防ぐために、両パネル４・８の接合部に閉止嵌合部３７を設けている。図５に示すように、閉止嵌合部３７は、前パネル４のパネル枠４０を構成する上横枠の内面上部に後向きに突設される嵌合壁３７ａと、上パネル８のパネル枠８０を構成する前枠の上面に段落ち状に形成される嵌合段部３７ｂとで構成する。
【００２８】
以上のように構成した箱形コンテナは、パレット１の上面に積荷を載置したのち、保護ケース２をパレット１に組み付けて搬送に供する。詳しくは、図７に示すように、左右のパネル６・７と後パネル５の三者を、平面から見てコ字状に展開してパレット１上に載置し、各パネル５・６・７の下部外面を規制枠３で位置決め支持する。次に、スライドレール３０を左右パネル６・７の上ガイド溝２４に差し込んだ状態で、上パネル８を後パネル５へ向かってスライド操作する。
【００２９】
具体的には、上パネル８の後端面が左右パネル６７の前端上部に隣接する状態で、上パネル８を左右パネル６・７に立てかけ、上パネル８の前端を持ち上げながらスライドレール３０をガイド溝２４に差し込み係合することにより、上パネル８を左右パネル６・７と一体化する。このとき、左右のスライドレール３０は、図６に示すようにガイド溝２４に設けたローラー２７で案内支持されるので、上パネル８を軽快に差し込み操作して、上パネル８の嵌合突起３３ｂを後パネル５の嵌合溝３３ａに嵌合することができる。また、重量の一部を先組みした左右パネル６・７に支持させた状態で、上パネル８を後向きに差し込み操作すればよいので、従来の箱形コンテナに比べて作業者に掛かる負担を軽減して、楽にしかも簡便に上パネル８を組み付けることができる。左右パネル６・７に連結された上パネル８は、左右パネル６・７によって上下および左右方向への移動が規制され、後パネル５によって上下方向への移動が規制される。逆に、左右パネル６・７と後パネル５は、上パネル８によって内方への傾動が規制される。
【００３０】
次に、前パネル４の左右の係合レール３５を左右パネル６・７の前ガイド溝２５に上方から差し込んで、前パネル４を下方スライド操作することにより、前パネル４を左右パネル６・７と一体化し、その嵌合壁３７ａを上パネル８の嵌合段部３７ｂに嵌合する。左右パネル６・７に連結された前パネル４は、左右パネル６・７によって前後および左右方向への移動が規制する。逆に、左右パネル６・７は前パネル４によって、互いに接近する向きの移動が規制され、同時に上パネル８は前方向へのスライド動作が前パネル４で規制される。最後に、図２に想像線で示すように、パレット１の前後側面の左右に固定したベルト３８を面ファスナー３９で上パネル８に固定して、保護ケース２をパレット１に分離不能に固定する。
【００３１】
以上のように構成した箱形コンテナによれば、保護ケース２を箱状に組んでパレット１上に固定した状態において、前後パネル４・５と左右パネル６・７と上パネル８の、各パネルの隣接縁の隙間を嵌合構造によって封止できる。詳しくは、上ガイド溝２４および逃げ凹部２６とスライドレール３０および内溝３１が互いに嵌合すること、前ガイド溝２５と係合レール３５とが互いに嵌合すること、さらに上パネル８の前後において閉止嵌合部３３・３７が嵌合することで封止できるので、搬送時に塵埃が保護ケース２の内部に侵入するのを確実に防止して、従来のこの種の箱形コンテナに比べて塵埃侵入防止機能を高度化できる。つまり、上記の各嵌合構造部分は防塵用の凹凸係合体を兼ねている。
【００３２】
搬送先においては、ベルト２７を取り外したのち、まず前パネル４を左右パネル６・７から取り外して、ケース前面の出入口９を開放する。次に、上パネル８をケース前面側へ抜き取ってケース上面を開放する。このとき、上パネル８はそのスライドレール３０がローラー２７で転動案内されるので、上パネル８を左右パネル６・７から簡単に抜き出すことができる。しかも、重量の一部を先組みした左右パネル６・７に支持させた状態で、上パネル８を前向きに抜き出し操作すればよいので、従来の箱形コンテナとは異なり、作業者に過大な重量モーメントが作用するのを避けて、楽にしかも簡便に上パネル８を取り外すことができる。保護ケース２の出入口９および上面を開放した状態で、パレット１に搭載した積荷を取り出す。必要があれば、保護ケース２の全体をパレット１から取り外して、積荷を取り出してもよい。
【００３３】
パレット１と保護ケース２は、いずれも繰り返して搬送に供する。パレット１および保護ケース２を搬送元へ回収する場合には、左右パネル６・７と後パネル５とをΣ字状に折り込んで偏平化し、これらと共に前パネル４および上パネル８を積層して、パレット１と共に回収搬送する。
【００３４】
上記の実施例以外に、上連結部２４と係合部３０との嵌合構造は、その一方、および他方のそれぞれが溝と、段と、突起の少なくともひとつを含んで構成してあればよい。前連結部２５と係合部３５との嵌合構造、さらに閉止嵌合部３３・３７の嵌合構造も、同様に構成してあればよい。ガイド体２７はローラーである必要はなく、例えば、上記の実施例におけるスライドレール３０の下面と、上ガイド溝２４の溝内面とのいずれか一方に、滑性に優れたプラスチックシートを貼り付けてガイド体２７とすることができる。要は、上パネル８の前後開閉時の開閉抵抗を軽減できるものであればよい。ローラー２７は上パネル８の側に設けることができる。
【００３５】
後パネル５は前パネル４と同様の１個パネルで構成することができ、その場合には後パネル５を左右パネル６・７に設けた後ガイド溝にケース上方から差し込み連結して一体化する。
【図面の簡単な説明】
【００３６】
【図１】図２におけるＡ−Ａ線断面図である。
【図２】箱形コンテナの側面図である。
【図３】箱形コンテナの分解斜視図である。
【図４】図２におけるＢ−Ｂ線断面図である。
【図５】図４におけるＤ−Ｄ線断面図である。
【図６】図１におけるＣ−Ｃ線断面図である。
【図７】箱形コンテナの組立途中状態を示す斜視図である。
【符号の説明】
【００３７】
１  パレット
２  保護ケース
４  前パネル
５  後パネル
６  左パネル
７  右パネル
８  上パネル
９  出入口
２４  上ガイド溝
２５  前ガイド溝
３０  スライドレール
【図１】
2008230634.tif 000003
【図２】
2008230634.tif 000004
【図３】
2008230634.tif 000005
【図４】
2008230634.tif 000006
【図５】
2008230634.tif 000007
【図６】
2008230634.tif 000008
【図７】
2008230634.tif 000009